(57)【特許請求の範囲】
【請求項１】
缶容器（４０）等の開封口（４１）にエラストマー或いはシリコンゴムからなる吸い口キャップ（２０）を挿入し、該吸い口キャップを覆う蓋部（１５）をヒンジｈで係止したポリエチレン等の合成樹脂からなるキャップ（１０）を、前記缶容器の上端縁に嵌合してなる機能キャップ口栓（５０）であって、前記機能キャップ口栓（５０）が、缶容器（４０）の開封口（４１）に挿入する挿入筒（２１）とその外側に係止凹部（２３）を有する液漏れ防止カバー（２２）を設け、該カバーの天部中央には平筒状の吸い口筒（２５）を突出させた吸い口キャップ（２０）と、前記吸い口キャップの吸い口筒（２５）を突き出す突出口（１１）とその周囲に吸い口押圧筒（１３）と、缶容器の胴部（４２）上端縁に嵌合する内リング（１６）と外リング（１７）と、このリング間に嵌合溝（１２）を周縁に設けた固定板（１８）と、該固定板にヒンジｈにより開閉自在に設けた吸い口筒（２５）を覆う蓋部（１５）を設けたキャップ（１０）とで構成され、前記缶容器（４０）等の略円形状の開封口（４１）に吸い口キャップ（２０）を挿入し、前記缶キャップの突出口（１１）から吸い口筒（２５）を突出させた後、該缶キャップの嵌合溝（１２）と缶容器の胴部（４２）上端縁とを嵌合することで前記吸い口キャップが固定し、液漏れ防止を可能にしたことを特徴とする機能キャップ口栓。
【請求項２】
前記吸い口キャップの吸い口筒（２５）先端に、複数個の開封孔ｐを設けたことを特徴とする請求項１に記載の機能キャップ口栓。
【発明の詳細な説明】
【０００１】
【発明の属する技術分野】
本発明は、内容物として飲料や流動食等を充填した液体紙容器、特に３００ｍｌ未満の缶等の開封口に付ける機能キャップ口栓に関するものである。
【０００２】
【従来の技術】
従来より、エラストマーやシリコーンゴム等を用いて吸い口や液止めストレイナーを取り付けた乳幼児用哺乳ビンや、金属缶用の取り付けキャップ（後付け）が知られている。
【０００３】
特に、金属缶の機能キャップとして後付け用のキャップが販売されているが、飲み口となる開封口機能に問題があり液漏れ、零れやすい等の点で、高齢者、入院患者、乳幼児用等の世代には不満が根強く残っている。すなわち、キャップはエラストマー等で製造されているがジュース等の飲料用缶の開封口や缶にピツタリと嵌合しない等が原因となつている。
【０００４】
【発明が解決しようとする課題】
そこで本発明は、上記課題を解決するためになされたもので、高齢者、乳幼児向けに展開する飲料、流動食にとつて飲み易さ、零し難さを追求したキャップ口栓であり、特に、３００ｍｌ未満の缶等の開封口に取り付ける機能キャップ口栓を提供することにある。
【０００５】
【課題を解決するための手段】
上記目的を達成するために第一の発明は、缶容器（４０）等の開封口（４１）にエラストマー或いはシリコンゴムからなる吸い口キャップ（２０）を挿入し、該吸い口キャップを覆う蓋部（１５）をヒンジｈで係止したポリエチレン等の合成樹脂からなるキャップ（１０）を、前記缶容器の上端縁に嵌合してなる機能キャップ口栓（５０）であって、前記機能キャツプ口栓（５０）が、缶容器（４０）の開封口（４１）に挿入する挿入筒（２１）とその外側に係止凹部（２３）を有する液漏れ防止カバー（２２）を設け、該カバーの天部中央には平筒状の吸い口筒（２５）を突出させた吸い口キャップ（２０）と、前記吸い口キャップの吸い口筒（２５）を突き出す突出口（１１）とその周囲に吸い口押圧筒（１３）と、缶容器の胴部（４２）上端縁に嵌合する内リング（１６）と外リング（１７）と、このリング間に嵌合溝（１２）を周縁に設けた固定板（１８）と、該固定板にヒンジｈにより開閉自在に設けた吸い口筒を覆う蓋部（１５）を設けた缶キャップ（１０）との２パーツで構成されている。そして、前記缶容器（４０）等の略円形状の開封口（４１）に吸い口キャップ（２０）を挿入し、前記缶キャップの突出口（１１）から吸い口筒（２５）を突出させ後、該缶キャップの嵌合溝（１２）と缶容器の胴部（４２）上端縁とを嵌合することで前記吸い口キャップが固定し、液漏れ防止を可能とした機能キャップ口栓を提供する。
【０００８】
また、吸い口キャップの吸い口筒（２５）先端に、複数個の小さな開封孔ｐを設けて飲み易くしたものである。
【０００９】
【発明の実施の形態】
本発明の実施の形態を図に基づき説明すると、図１に示すように、缶容器（４０）の開封口（４１）に挿入する挿入筒（２１）とその外側に係止凹部（２３）を有する液漏れ防止カバー（２２）を設け、該カバーの天部中央には平筒状の吸い口筒（２５）を突出させた吸い口キャップ（２０）と、前記吸い口キャップの吸い口筒（２５）を突き出す突出口（１１）とその周囲に吸い口押圧筒（１３）と、紙缶容器の胴部（４２）上端縁に嵌合する内リング（１６）と外リング（１７）と、このリング間に嵌合溝（１２）を周縁に設けた固定板（１８）と、該固定板にヒンジｈにより開閉自在に設けた吸い口筒を覆う蓋部（１５）を設けたキャップ（１０）との２パーツで構成した機能キャップ口栓である。また、吸い口筒（２５）の先端は密封した状態で、使用時にカッター等により切断することも良いが、吸い口筒（２５）の先端に直径１ｍｍ程度の開封孔ｐを２〜４個設けると良い。従ってこの機能キャップ口栓は、エラストマーによる吸い口キャップと開封口により吸いやすく、かつ液漏れ防止効果の向上と、紙缶容器が倒れても一気に液漏れしないよう蓋部を有する缶キャップにより吸い口キャップの固定と、液漏れ防止機能が向上する。
【００１０】
【実施例】
図に基づき本発明を詳細に説明する。
【００１１】
＜実施例１＞
図１は本発明の一実施例における機能キャップ口栓を示すもので（Ａ）は、部品構成図であり、（Ｂ）は機能キャップ口栓の断面図である。
図１（Ａ）に示すように、紙缶容器（４０）の開封口（４１）にエラストマーからなる吸い口キャップ（２０）を挿入し、この吸い口キャップを覆う蓋部（１５）をヒンジｈで係止したポリエチレン等の合成樹脂からなる缶キャップ（１０）を、前記紙缶容器の上端縁に嵌合してなる機能キャツプ口栓（５０）である。この機能キャツプ口栓（５０）は、まず、缶容器（４０）の開封口（４１）に挿入する挿入筒（２１）とその外側に係止凹部（２３）を有する液漏れ防止カバー（２２）を設け、このカバーの天部中央には平筒状の吸い口筒（２５）を突出させた構成の吸い口キャップ（２０）と、前記吸い口キャップの吸い口筒（２５）を突き出す突出口（１１）とその周囲に吸い口押圧筒（１３）と、紙缶容器の胴部（４２）上端縁に嵌合する内リング（１６）と外リング（１７）と、このリング間に嵌合溝（１２）を周縁に設けた固定板（１８）と、この固定板にヒンジｈにより開閉自在に設けた蓋板に吸い口筒を覆う蓋部（１５）を設けると共に、この蓋板で固定板全体を覆う構成としたキャップ（１０）との２パーツで構成されている。
【００１２】
この装着は、紙缶容器（４０）の略円形状の注出口（４１）に吸い口キャップ（２０）を差し込み、次に、キャップ（１０）の突出口（１１）から吸い口筒（２５）を突出させながら吸い口キャップ上から缶キャップの嵌合溝（１２）と紙缶容器の胴部（４２）上端縁に嵌合することで吸い口キャップとキャップが密着し、吸い口キャップの固定と液漏れの防止が可能となる。
【００１６】
なお、限定はされないが本発明の実施例１においては、吸い口キャップの平筒状の吸い口筒２５先端面には、直径１ｍｍ程度の開封孔ｐを３個設けることにより、吸いやすく、かつ液漏れ防止効果が向上した。
【００１７】
【発明の効果】
本発明は以上の構成であるから、下記に示す如き効果がある。
すなわち、本発明の機能キャップ口栓は老齢者、乳幼児の世代向けに展開する飲料や食料（流動食等）にとって飲み易さ、内容物の零れ難さを追求したものであり、エラストマーにより平筒状の吸い口形状と、この先端面に設けた複数個の小さな開封孔、さらには紙缶容器の略円形状の開封口との嵌合にもエラストマーによる吸い口キャップ使用することにより密閉度が向上した。
また、缶キャップには合成樹脂、例えばポリエチレン樹脂等を使用することにより、しっかりと缶容器に嵌合することができる。従って、この機能キャップ口栓は、エラストマーによる吸い口キャップと開封孔により吸いやすく、かつ液漏れ防止効果の向上と、缶容器が倒れても一気に液漏れしないよう蓋部を有する缶キャップにより優れた効果を奏する。
【図面の簡単な説明】
【図１】  本発明の一実施例における機能キャップ口栓を示すもので、（Ａ）は、部品構成図であり、（Ｂ）は機能キャップ口栓の断面図である。
【符号の説明】
１０……キャップ
１１……吸い口突出口
１２……嵌合溝
１３……吸い口押圧筒
１５……蓋部
１６……内リング
１７……外リング
１８……固定板
２０……吸い口キャップ
２１……挿入筒
２２……液漏れ防止カバー
２３……係止凹部
２５……吸い口筒
４０……缶容器
４１……開封口
４２……胴部
５０……機能キャップ口栓
ｈ……ヒンジ
【図１】
0003945089.tif 000002